(57)【要約】【課題】使用後にキッチンカウンタ等の平坦面に載置しても、当該平坦面を油等で汚してしまうのを抑制することができる焼網用剥がしヘラを提供する。【解決手段】本発明は、焼網６で焙焼された被調理物をこの焼網６から剥がし取るための焼網用剥がしヘラ１である。本発明の焼網用剥がしヘラ１は、ヘラ部２と、このヘラ部２を水平にした状態で当該ヘラ部２の前端から前斜め上方に向かって突設された櫛状部３と、ヘラ部２を水平にした状態で当該ヘラ部２の後端から略水平な後方または後斜め上方に向かって突設された把持部４と、ヘラ部２の下面から下方に突出した支持部５とを備えている。焼網用剥がしヘラ１は、ヘラ部２の一部と支持部５とが平坦面７に当接するように載置されると、櫛状部３と把持部４とが平坦面７から離れるように構成されている。【選択図】図１
2014184054.tif 000002
【特許請求の範囲】
【請求項１】
焼網で焙焼された被調理物をこの焼網から剥がし取るための焼網用剥がしヘラであって、
ヘラ部と、
このヘラ部を水平にした状態で当該ヘラ部の前端から前斜め上方に向かって突設された櫛状部と、
前記ヘラ部を水平にした状態で当該ヘラ部の後端から略水平な後方または後斜め上方に向かって突設された把持部と、
前記ヘラ部の下面から下方に突出した支持部と
を備え、
当該焼網用剥がしヘラは、前記ヘラ部の一部と前記支持部とが平坦面に当接するように載置されると、前記櫛状部と前記把持部とが前記平坦面から離れるように構成されている
ことを特徴とする焼網用剥がしヘラ。
【請求項２】
前記支持部は、当該焼網用剥がしヘラの重心よりも後方に設けられている
ことを特徴とする請求項１記載の焼網用剥がしヘラ。
【請求項３】
前記ヘラ部の前記支持部よりも前方には、他の箇所よりも厚みが大きい肉厚部が設けられている
ことを特徴とする請求項２記載の焼網用剥がしヘラ。
【請求項４】
前記櫛状部は、櫛歯と、焼網の線材を挿入するための挿入溝とが交互に設けられたものであり、
前記挿入溝の溝奥が前記ヘラ部の前端よりも前方に位置している
ことを特徴とする請求項１乃至請求項３のいずれか一項に記載の焼網用剥がしヘラ。
【請求項５】
前記櫛状部は、櫛歯と、焼網の線材を挿入するための挿入溝とが交互に設けられたものであり、
前記櫛歯の上面と前記挿入溝との角部には面取りが施されている
ことを特徴とする請求項１乃至請求項４のいずれか一項に記載の焼網用剥がしヘラ。
【請求項６】
前記面取りがＲ面取りである
ことを特徴とする請求項５記載の焼網用剥がしヘラ。
【発明の詳細な説明】
【技術分野】
【０００１】
本発明は、焼網で焙焼された被調理物を、当該焼網から剥がし取るための焼網用剥がしヘラに関する。
【背景技術】
【０００２】
特許文献１には従来の焼網用剥がしヘラが開示されている。この特許文献１記載の焼網用剥がしヘラは、平板部と、櫛状部と、把持部とを備えている。櫛状部は、平板部を水平にした状態で平板部の前端から前斜め上方に向かって突設されている。把持部は、平板部を水平にした状態で平板部の後端から略水平な後方または後斜め上方に向かって突設されている。
【０００３】
櫛状部は、複数の櫛歯を有している。櫛歯は、焼網の線材間に挿入される。櫛歯が焼網の線材間に挿入された状態で把持部を下方に移動させると、櫛歯が線材上に移動するようになっている。
【０００４】
特許文献１記載の焼網用剥がしヘラは、魚などの被調理物が焼網に凝着した場合であっても、身崩れを防ぎつつ、被調理物を持ち上げることができるものである。この焼網用剥がしヘラは、例えば、次のようにして使用される。
【０００５】
ユーザーは、焼網で焙焼された被調理物の下方に櫛状部を差し込み、櫛状部の間の溝奥に線材を挿入する。この状態で溝奥と線材との接触部分を支点として把持部を下方に回動させる。すると、櫛状部の櫛歯が被調理物を下方から上方に向かって持ち上げる。櫛歯は平板部に複数並設されているため、被調理物を均等な力で持ち上げることができる。これにより、ユーザーは、身崩れを抑制しつつ被調理物を焼網から剥がし取ることができる。
【先行技術文献】
【特許文献】
【０００６】
【特許文献１】特開２０１０−１６１５０５号公報
【発明の概要】
【発明が解決しようとする課題】
【０００７】
ところで、この特許文献１の焼網用剥がしヘラは、被調理物を焼網から剥がし取ると、櫛状部や平板部に油などが付着してしまう。一方、ユーザーは、焼網用剥がしヘラの使用後には、当該焼網用剥がしヘラをキッチンカウンタの上面に載置することが多い。
【０００８】
従来の焼網用剥がしヘラは、キッチンカウンタの上面に載置されると、平板部の下面がキッチンカウンタに面状に接触したり、櫛状部の先端がキッチンカウンタに接触したりしてしまう。この場合、ヘラに付着した油などでキッチンカウンタを汚してしまうという問題がある。
【０００９】
本発明は、上記事情に鑑みてなされたものであり、その目的とするところは、使用後にキッチンカウンタ等の平坦面に載置しても、ヘラに付着した油等でこの平坦面を油等で汚してしまうのを抑制することができる焼網用剥がしヘラを提供することにある。
【課題を解決するための手段】
【００１０】
本発明は、焼網で焙焼された被調理物をこの焼網から剥がし取るための焼網用剥がしヘラであって、ヘラ部と、このヘラ部を水平にした状態で当該ヘラ部の前端から前斜め上方に向かって突設された櫛状部と、前記ヘラ部を水平にした状態で当該ヘラ部の後端から略水平な後方または後斜め上方に向かって突設された把持部と、前記ヘラ部の下面から下方に突出した支持部とを備え、当該焼網用剥がしヘラは、前記ヘラ部の一部と前記支持部とが平坦面に当接するように載置されると、前記櫛状部と前記把持部とが前記平坦面から離れるように構成されていることを特徴とする。
【００１１】
また、この焼網用剥がしヘラにおいて、前記支持部は、当該焼網用剥がしヘラの重心よりも後方に設けられていることが好ましい。
【００１２】
また、この焼網用剥がしヘラにおいて、前記ヘラ部の前記支持部よりも前方には、他の箇所よりも厚みが大きい肉厚部が設けられていることが好ましい。
【００１３】
また、この焼網用剥がしヘラにおいて、前記櫛状部は、櫛歯と、焼網の線材を挿入するための挿入溝とが交互に設けられたものであり、前記挿入溝の溝奥が前記ヘラ部の前端よりも前方に位置していることが好ましい。
【００１４】
また、この焼網用剥がしヘラにおいて、前記櫛状部は、櫛歯と、焼網の線材を挿入するための挿入溝とが交互に設けられたものであり、前記櫛歯の上面と前記挿入溝との角部には面取りが施されていることが好ましい。
【００１５】
また、この焼網用剥がしヘラにおいて、前記面取りがＲ面取りであることが好ましい。
【発明の効果】
【００１６】
本発明の焼網用剥がしヘラによれば、使用後にキッチンカウンタ等の平坦面に載置しても、ヘラに付着した油等でこの平坦面を汚してしまうのを抑制することができる。
【図面の簡単な説明】
【００１７】
【図１】実施形態１の焼網用剥がしヘラの下方から見た斜視図である。
【図２】焼網であり（ａ）は平面図であり（ｂ）は側面図であり（ｃ）は背面図である。
【図３】実施形態１の焼網用剥がしヘラの平面図である。
【図４】実施形態１の焼網用剥がしヘラの側面図である。
【図５】実施形態１の焼網用剥がしヘラを平坦面に載置した状態の側面図である。
【図６】実施形態２の焼網用剥がしヘラの下方から見た斜視図である。
【図７】実施形態３の焼網用剥がしヘラであり（ａ）は側面図であり（ｂ）は平坦面に載置した状態の側面図であり（ｃ）は変形例の焼網用剥がしヘラを平坦面に載置した状態の側面図である。
【図８】他例の焼網用剥がしヘラの下方から見た斜視図である。
【発明を実施するための形態】
【００１８】
以下、本発明の実施形態について添付図面に基づいて説明する。
【００１９】
実施形態１の焼網用剥がしヘラ１（以下、剥がしヘラ１と言う）は、焼網６で焙焼された被調理物を焼網６から剥がし取って、移動させるために用いられる。被調理物としては、例えば、魚が挙げられるが、特に限定されない。
【００２０】
焼網６は、例えば、グリル付きこんろのグリル庫内に収容される。焼網６には、被調理物が載置される。焼網６は、例えば、図２に示すように、直線状の線材６１が一定のピッチで並設されている。各線材６１同士は、隙間を介して離間している。線材６１は断面円形をしている。焼網６は、被調理物が載置された状態で、被調理物と共にグリル庫内のバーナにより加熱される。
【００２１】
本実施形態の焼網６は、線材６１の長手方向がグリル庫の横方向と平行になるように、グリル庫内に配置されているが、以下においては、この線材６１の長手方向に平行な方向を前後方向として定義し、線材６１の長手方向に直角な水平方向を左右方向として定義する。特に、剥がしヘラ１において、把持部４から櫛状部３に向かう方向（把持部４および櫛状部３については後述する）を前方向として定義する。
【００２２】
剥がしヘラ１は、図１に示すように、ヘラ部２と、櫛状部３と、把持部４と、支持部５とを備えている。剥がしヘラ１は、例えば、ガラス繊維強化ＰＡ／ＰＰ（ポリアミド／ポリプロピレン）などの合成樹脂により構成されている。剥がしヘラ１は、例えば、射出成形によって全体が一体成形されている。
【００２３】
ヘラ部２は、図３に示すように、前後方向に長さを有し、左右方向に幅を有している。ヘラ部２は、平面視略半円状の扁平な板状となっている。
【００２４】
櫛状部３は、図４に示すように、ヘラ部２を水平にした状態で、ヘラ部２の前端から前斜め上方に向かって突設されている。具体的に言うと、ヘラ部２の上面と櫛状部３の上面との成す角度は、例えば、１５０度となっている。櫛状部３は、図３に示すように、基部３１と、櫛歯３２とを備えている。基部３１は、ヘラ部２の前端から延出した部分である。櫛歯３２は、複数設けられており、基部３１の前端から突出している。櫛歯３２は、前後方向に長さを有し、左右方向に幅を有している。本実施形態の櫛状部３は、櫛歯３２が奇数設けられており、左右方向の中央に櫛歯３２が配置されるように構成されている。
【００２５】
櫛歯３２の間には挿入溝３３が設けられている。挿入溝３３は、櫛歯３２の外縁と基部３１の前端縁とで構成されている。挿入溝３３の外縁は、平面視略Ｕ字状をしている。挿入溝３３は、前方に開口している。挿入溝３３の左右方向のピッチは、焼網６の線材６１のピッチと略同じ寸法に形成される。櫛状部３は、挿入溝３３と櫛歯３２とが、左右方向に交互に設けられることで構成されている。
【００２６】
また、挿入溝３３の溝奥３４は、ヘラ部２の前端（ヘラ部２と櫛状部３とが連設された屈曲箇所）よりも前方に位置している。言い換えると、挿入溝３３の溝奥３４とヘラ部２との間には基部３１が介在している。
【００２７】
櫛歯３２の上面には、櫛歯３２の長さ方向に沿って突条３５が設けられている。突条３５は櫛歯３２の幅方向の中央に設けられている。突条３５は、ヘラ部２の前端部から櫛歯３２の先端部の全長に亙って設けられている。突条３５が設けられていることにより、被調理物を焼網６から剥がし取る際に、櫛歯３２に被調理物が密着するのを防ぐことができる。
【００２８】
また、挿入溝３３の上縁には全長に亙って面取りが施されている。すなわち、櫛歯３２の上面と側面との角部には、面取りが施されている。より詳しくは、櫛歯３２の上面と挿入溝３３との角部に面取りが施され、また、左右方向の両端の櫛歯３２の上面とその外側の側面（挿入溝３３側とは反対側の側面）との角部にも面取りが施されている。この面取りは、曲面状の、いわゆる、Ｒ面取りにより構成されている。なお、面取りとしては、直線状に角を落としたＣ面取りが施されていてもよい。
【００２９】
把持部４は、ユーザーにより把持される部分である。把持部４は、図４に示すように、ヘラ部２を水平にした状態で、ヘラ部２の後端から略水平な後方に向かって突設されている。把持部４は、前後方向に長さを有し、左右方向に幅を有している。把持部４は、幅方向の中央に向かうほど下方に位置するように凸曲している。
【００３０】
支持部５は、ヘラ部２の下面から下方に向かって突出している。支持部５は、図１に示すように、ヘラ部２の幅方向の中央に設けられている。また、支持部５の幅方向の長さは、線材６１の対向間の距離よりも短い。これにより、支持部５は、ヘラ部２の下面が焼網６に近接した場合であっても、線材６１間に入り込むことができる。
【００３１】
支持部５は、ヘラ部２の後方側寄りの位置（つまり、後端部）に設けられている。支持部５は、この剥がしヘラ１の重心よりも後方に配置されている。
【００３２】
本実施形態の剥がしヘラ１は、重心位置を支持部５よりも前方に位置させるために、ヘラ部２に肉厚部２１が設けられている。肉厚部２１は、図４に示すように、ヘラ部２の他の箇所よりも厚みが大きく形成されている。肉厚部２１は、支持部５よりも前方に設けられている。肉厚部２１は、その下面がヘラ部２の他の部分と同一平面上に位置し、且つ上面が他の部分よりも突出しており、これにより、他の箇所よりも厚みが大きくなっている。肉厚部２１は、ヘラ部２の幅方向の全長に亙って設けられている。肉厚部２１が設けられることで、剥がしヘラ１の重心が、支持部５とヘラ部２の前端との間に位置するようになっている。
【００３３】
このような構成の剥がしヘラ１は、図５に示すように、カウンター等の平坦面７に、ヘラ部２の一部（ヘラ部２の前端縁）と支持部５とが当接するように載置される。すると、櫛状部３と把持部４とは、平坦面７から離れる。このとき、剥がしヘラ１は、重心がヘラ部２の前端と支持部５との間に位置しているため、平坦面７上に安定して載置される。
【００３４】
以上説明したように、本実施形態の剥がしヘラ１は、焼網６で焙焼された被調理物を焼網６から剥がし取るために用いられる。剥がしヘラ１は、ヘラ部２と、櫛状部３と、把持部４と、支持部５とを備えている。櫛状部３は、ヘラ部２を水平にした状態で、ヘラ部２の前端から前斜め上方に向かって突設されている。把持部４は、ヘラ部２を水平にした状態で、ヘラ部２の後端から略水平な後方に向かって突設されている。支持部５は、ヘラ部２の下面から下方に突出している。そして、剥がしヘラ１は、ヘラ部２の一部と支持部５とが平坦面７に当接するように載置されると、櫛状部３と把持部４とが平坦面７から離れるように構成されている。
【００３５】
このように、本実施形態の剥がしヘラ１は、ヘラ部２の一部と支持部５とが平坦面７に当接するように載置されると、ヘラ部２の大部分と櫛状部３とが平坦面７から離れる。このため、ユーザーが被調理物を剥がし取ることに使用した後に平坦面７に載置する場合であっても、ヘラ部２や櫛状部３に付着した油などで平坦面７が汚れるのを防ぐことができる。しかもこのとき、把持部４も平坦面７から離れているため、ユーザーが次に使用しようとした場合に、簡単に把持部４をつかむことができる。その上、支持部５はヘラ部２に設けられており、把持部４には設けられていないから、ユーザーが把持部４を掴む際に支持部５が邪魔になりにくい。
【００３６】
また、本実施形態の支持部５は、剥がしヘラ１の重心よりも後方に設けられている。
【００３７】
このため、剥がしヘラ１は、ヘラ部２の前端縁と支持部５とが平坦面７に当接するように載置された場合にも、安定した状態で載置される。
【００３８】
また、本実施形態のヘラ部２において、支持部５よりも前方には、他の箇所よりも厚みが大きい肉厚部２１が設けられている。
【００３９】
このため、本実施形態の剥がしヘラ１によれば、把持部４を前後方向に長く形成しても、剥がしヘラ１の重心を支持部５よりも前方に位置させることができる。これにより、剥がしヘラ１を平坦面７に載置するに当たり、支持部５とヘラ部２の前端縁とによって、安定的に載置することができる。
【００４０】
また、本実施形態の櫛状部３は、櫛歯３２と、焼網６の線材６１を挿入するための挿入溝３３とが交互に設けられたものであり、挿入溝３３の溝奥３４がヘラ部２の前端よりも前方に位置している。
【００４１】
このため、焼網６から被調理物を剥がし取るときに、ヘラ部２の前端が被調理物の油などで汚れるのを抑制することができる。これにより、剥がしヘラ１を平坦面７に載置した際に、平坦面７が汚れるのをさらに抑制することができる。
【００４２】
また、本実施形態の櫛状部３は、櫛歯３２の上面と挿入溝３３との角部には面取りが施されている。
【００４３】
これにより、被調理物を焼網６から剥がし取る際に、櫛歯３２の上面と挿入溝３３との角部によって、被調理物に傷をつけてしまうのを抑制することができる。
【００４４】
また、本実施形態の櫛歯３２の上面と挿入溝３３との角部の面取りは、Ｒ面取りである。
【００４５】
このため、本実施形態の剥がしヘラ１によれば、Ｃ面取りである場合に比べて、被調理物を焼網６から剥がし取る際に、櫛歯３２の上面と挿入溝３３との角部によって、被調理物に傷をつけてしまうのを一層、抑制することができる。
【００４６】
また、本実施形態の剥がしヘラ１は、支持部５がヘラ部２の後端部に設けられているため、ユーザーは、ヘラ部２を焼網６に近接させた状態でも櫛状部３を左右方向にずらすことができる。これにより、ヘラ部２の下面から支持部５が突出していたとしても、使い勝手が悪くなるのを抑制することができる。しかも、支持部５は線材６１間に入り込む位置に設けられているから、ヘラ部２の下面を焼網６に近接させることができ、櫛状部３を被調理物の下方に深く潜り込ませることができる。
【００４７】
次に、実施形態２について図６に基づいて説明する。なお、本実施形態は、実施形態１と大部分において同じであるため、同じ部分においては同符号を付して説明を省略し、主に異なる部分について説明する。
【００４８】
本実施形態の剥がしヘラ１は、支持部５が左右方向に２つ離間して設けられている点で、実施形態１とは異なっている。また、櫛状部３の櫛歯３２が偶数設けられており、左右方向の中央には櫛歯３２ではなく、挿入溝３３が設けられている。その他の構成は実施形態１と同じである。
【００４９】
剥がしヘラ１は、支持部５として、第一支持部５１と、第二支持部５２とを備えている。第一支持部５１は左右方向の一方に設けられ、第二支持部５２は左右方向の他方に設けられている。第一支持部５１と第二支持部５２とは離間している。第一支持部５１および第二支持部５２は、いずれもヘラ部２において櫛歯３２の後方に設けられている。第一支持部５１および第二支持部５２は、線材６１の間に入り込む大きさに形成されている。
【００５０】
このように本実施形態の剥がしヘラ１は、支持部５が左右方向に離間して設けられているため、ユーザーが支持部５とヘラ部２の前端とに当接するように平坦面７に載置した場合に、より安定する。
【００５１】
次に、実施形態３について図７に基づいて説明する。なお、本実施形態は、実施形態１と大部分において同じであるため、同じ部分においては同符号を付して説明を省略し、主に異なる部分について説明する。
【００５２】
本実施形態の剥がしヘラ１は、把持部４が、ヘラ部２を水平にした状態で、このヘラ部２の後端から後斜め上方に向かって突設されている点で実施形態１とは異なっている。その他の構成は実施形態１と同じである。
【００５３】
把持部４は、ヘラ部２を水平にした状態で、ヘラ部２の後端から後斜め上方に向かって延出している。これにより、把持部４とヘラ部２との連設部分は、下方に凸となるように屈曲している。
【００５４】
このように本実施形態の剥がしヘラ１であっても、図７（ｂ）に示すように、ヘラ部２の前端縁と支持部５とが平坦面７に当接するように載置されると、櫛状部３と把持部４とが平坦面７から離れて位置する。
【００５５】
なお、把持部４が、ヘラ部２を水平にした状態でこのヘラ部２の後端から後斜め上方に向かって突設されている場合、図７（ｃ）に示すように、支持部５がヘラ部２の前寄りに設けられていてもよい。この場合、支持部５とヘラ部２の後端縁とが平坦面７に当接するように載置すれば、剥がしヘラ１を、櫛状部３と把持部４とが平坦面７から離れるようにして載置することができる。
【００５６】
また、実施形態１の剥がしヘラ１は、櫛歯３２が奇数設けられていたが、図８に示すように偶数であってもよく、特に限定されるものではない。
【符号の説明】
【００５７】
１      焼網用剥がしヘラ
２      ヘラ部
２１    肉厚部
３      櫛状部
３１    基部
３２    櫛歯
３３    挿入溝
３４    溝奥
３５    突条
４      把持部
５      支持部
５１    第一支持部
５２    第二支持部
６      焼網
６１    線材
７      平坦面
【図１】
2014184054.tif 000003
【図２】
2014184054.tif 000004
【図３】
2014184054.tif 000005
【図４】
2014184054.tif 000006
【図５】
2014184054.tif 000007
【図６】
2014184054.tif 000008
【図７】
2014184054.tif 000009
【図８】
2014184054.tif 000010